(57)【要約】【課題】画像形成装置の省電力状態からの復帰回数を減らす目的で大容量の記憶装置を搭載する必要のない画像形成装置、並びに画像形成装置の省電力状態からの復帰回数を減らすことを可能とする情報処理装置及びプログラムを提供する。【解決手段】印刷ジョブを受付ける受付手段と、受付けた前記印刷ジョブを格納する格納手段と、前記格納手段に格納されている印刷ジョブを、ネットワークを介して接続されている画像形成装置に送信する送信手段と、を備え、前記送信手段は、前記画像形成装置の起動状態を確認し、省電力状態でなければ、前記格納手段に格納されている印刷ジョブを画像形成装置に送信する。【選択図】図５
2011060148.tif 000002
【特許請求の範囲】
【請求項１】
印刷ジョブを受付ける受付手段と、
受付けた前記印刷ジョブを格納する格納手段と、
前記格納手段に格納されている印刷ジョブを、ネットワークを介して接続されている画像形成装置に送信する送信手段と、を備え、
前記送信手段は、前記画像形成装置の起動状態を確認し、省電力状態でなければ、前記格納手段に格納されている印刷ジョブを前記画像形成装置に送信することを特徴とする情報処理装置。
【請求項２】
前記送信手段は、格納されている印刷ジョブの格納状態と画像形成装置の起動状態とに応じて印刷ジョブを送信することを特徴とする請求項１記載の情報処理装置。
【請求項３】
即時印刷の指定を受付ける即時印刷指定手段をさらに備え、
前記送信手段は、前記印刷ジョブの格納状態と画像形成装置の起動状態とに関わらず、即時印刷の指定を受けた印刷ジョブを前記画像形成装置に送信することを特徴とする請求項１又は２記載の情報処理装置。
【請求項４】
前記送信手段は、自機のシャットダウンの指示を受けた場合、前記格納手段に格納された印刷ジョブをすべて画像形成装置へ送信し、前記印刷ジョブの送信が完了した後にシャットダウンの処理に移行することを特徴とする請求項１から３の何れか１項に記載の情報処理装置。
【請求項５】
情報処理装置に格納されている印刷ジョブの量を示すジョブ量情報を、前記情報処理装置から受信する受信手段と、
前記情報処理装置に印刷ジョブの送信を要求するジョブ要求手段と、
省電力状態からの復帰動作を行う起動手段と、を備え、
前記ジョブ要求手段は、省電力状態の場合、受信した前記ジョブ量情報に基づき、前記情報処理装置に格納されている印刷ジョブ量が所定量を上回ったと判断した場合、前記情報処理装置に印刷ジョブ送信の要求し、
前記起動手段は、前記印刷ジョブ送信の要求に伴い、省電力状態からの復帰動作を開始することを特徴とする画像形成装置。
【請求項６】
前記ジョブ要求手段は、自機において発生した印刷ジョブの実行が完了した場合には、前記印刷ジョブ量が所定量を上回ったと判断することなく、前記情報処理装置に印刷ジョブ送信の要求することを特徴とする請求項５記載の画像形成装置。
【請求項７】
コンピュータに、
印刷ジョブを受付ける受付処理と、
受付けた印刷ジョブを格納手段に格納する格納処理と、
前記格納手段に格納されている印刷ジョブを、ネットワークを介して接続されている画像形成装置に送信する送信処理と、を実行させ、
前記送信処理は、前記画像形成装置が省電力モードでないと確認した場合に、前記印刷ジョブを送信する処理であることを特徴とするプログラム。
【請求項８】
コンピュータに、
情報処理装置に格納されている印刷ジョブ量を示すジョブ量情報を、該情報処理装置から受信する受信処理と、
前記情報処理装置に印刷ジョブ送信の要求を送信するジョブ要求処理と、
省電力状態からの復帰動作を行う起動処理と、を実行させ、
前記ジョブ要求処理は、省電力状態の場合、受信した前記ジョブ量情報に基づき、前記情報処理装置に格納されている印刷ジョブ量が所定量を上回ったと判断した場合、前記情報処理装置に印刷ジョブ送信の要求を送信する処理であり、
前記起動処理は、前記印刷ジョブ送信の要求の送信に伴い、省電力状態からの復帰動作を開始する処理であることを特徴とするプログラム。
【発明の詳細な説明】
【技術分野】
【０００１】
本発明は、画像形成装置が省電力状態にあるときの印刷ジョブを制御する情報処理装置、画像形成装置及びプログラムに関する。
【背景技術】
【０００２】
画像形成装置には、一定時間以上印刷ジョブを実行しない場合に、ジョブを受付けるコントローラ部以外の電力をオフにした状態、いわゆる省電力状態に移行することで待機消費電力を抑える構成を持つものがある。省電力状態にある画像形成装置は印刷ジョブを受け取ると復帰動作を実行し、印刷を開始する。
【０００３】
しかし、省電力状態からの復帰動作には定着器の加熱動作や、停止していたことにより気中に長くさらされていたトナーのリフレッシュ動作など、電力消費が多い動作が含まれているため、この復帰動作の回数が多くなってしまうと、省電力効果が低下してしまう。よって、復帰動作を極力減らすことが消費電力の削減に効果的である。
【０００４】
そこで、特許文献１では画像形成装置に印刷ジョブを蓄積する装置を備え、蓄積量が一定量を超えた場合にまとめて印刷ジョブを実行することにより、つまり、蓄積されている印刷ジョブが一定量を越えるまで復帰動作を行わないことで復帰動作の回数を減らす技術が提案されている。
【発明の概要】
【発明が解決しようとする課題】
【０００５】
しかし上記特許文献１記載の技術では、印刷ジョブを蓄積するための容量を確保する必要があるため、ＨＤＤ（Hard Disk Drive）などの高価な装置を画像形成装置に備える必要があり、画像形成装置の低コスト化に向かないという問題があった。
【０００６】
本発明は、上記事情に鑑みてなされたものであり、画像形成装置の省電力状態からの復帰回数を減らす目的で大容量の記憶装置を搭載する必要ない画像形成装置、並びに画像形成装置の省電力状態からの復帰回数を減らすことを可能とする情報処理装置及びプログラムを提供することを目的とする。
【課題を解決するための手段】
【０００７】
かかる目的を達成するために、本発明は、以下の特徴を有することとする。
【０００８】
本発明における情報処理装置は、印刷ジョブを受付ける受付手段と、前記受付けた印刷ジョブを格納する格納手段と、前記格納手段に格納されている印刷ジョブを、ネットワークを介して接続されている画像形成装置に送信する送信手段と、を備え、前記送信手段は、前記画像形成装置の起動状態を確認し、省電力状態でなければ、前記格納手段に格納されている印刷ジョブを、前記画像形成装置に送信することを特徴とする。
【０００９】
本発明における画像形成装置は、情報処理装置に格納されている印刷ジョブの量を示すジョブ量情報を、前記情報処理装置から受信する受信手段と、前記情報処理装置に印刷ジョブの送信を要求するジョブ要求手段と、省電力状態からの復帰動作を行う起動手段と、を備え、前記ジョブ要求手段は、省電力状態の場合、受信した前記ジョブ量情報に基づき、前記情報処理装置に格納されている印刷ジョブ量が所定量を上回ったと判断した場合、前記情報処理装置に印刷ジョブ送信の要求を送信し、前記起動手段は、前記印刷ジョブ送信の要求の送信に伴い、省電力状態からの復帰動作を開始することを特徴とする。
【００１０】
本発明におけるプログラムは、コンピュータに、印刷ジョブを受付ける受付処理と、受付けた印刷ジョブを格納手段に格納する格納処理と、前記格納手段に格納されている印刷ジョブを、ネットワークを介して接続されている画像形成装置に送信する送信処理と、を実行させ、前記送信処理は、前記画像形成装置が省電力モードでないと確認した場合に、前記印刷ジョブを送信する処理であることを特徴とする。
【００１１】
また、本発明におけるプログラムは、コンピュータに、情報処理装置に格納されている印刷ジョブ量を示すジョブ量情報を、該情報処理装置から受信する受信処理と、前記情報処理装置に印刷ジョブ送信の要求を送信するジョブ要求処理と、省電力状態からの復帰動作を行う起動処理と、を実行させ、前記ジョブ要求処理は、省電力状態の場合、受信した前記ジョブ量情報に基づき、前記情報処理装置に格納されている印刷ジョブ量が所定量を上回ったと判断した場合、前記情報処理装置に印刷ジョブ送信の要求を送信する処理であり、前記起動処理は、前記印刷ジョブ送信の要求の送信に伴い、省電力状態からの復帰動作を開始する処理であることを特徴とする。
【発明の効果】
【００１２】
本発明によれば、大容量の記憶装置を画像形成装置に搭載することなく、画像形成装置の復帰回数を減らすことが可能となる。
【図面の簡単な説明】
【００１３】
【図１】本実施形態に係る画像形成装置のハードウェア例を示す図である。
【図２】本実施形態に係る画像形成装置の概略機能構成例を示すブロック図である。
【図３】本実施形態に係る情報処理装置のハードウェア例を示す図である。
【図４】本実施形態に係る情報処理装置の概略機能構成例を示すブロック図である。
【図５】本実施形態を説明するための機能ブロック図である。
【図６】本実施形態に係る画像形成装置の状態を示した図である。
【図７】本実施形態において、印刷ジョブが発生したときの制御内容を説明したフローチャートである。
【図８】本実施形態において、印刷ジョブを蓄積しているときの制御内容を説明したフローチャートである。
【発明を実施するための形態】
【００１４】
以下、本発明の実施形態について、図面を用いて詳細に説明する。尚、以下、画像形成装置として複合機を例に挙げて説明するが、これに限定されるものではない。
【００１５】
（画像形成装置）
図１は、本発明を適用した画像形成装置のハードウェア例を示す図である。尚、図１では、画像形成装置１０として複合機に本発明を適用した場合を例として示しているが、これに限定されるものではない。図１に示すように、本発明を適用した複合機は、コントローラ２０、プリンタエンジン３０、ファクシミリコントロールユニット４０、スキャナエンジン５０、通信インターフェース（Ｉ／Ｆ）６０、ＨＤＤ７０、可搬性記録媒体読取装置８０、を備えており、各々はバスライン９０により接続されている。尚、図１では、ファクシミリコントロールユニット４０、スキャナエンジン５０、可搬性記録媒体読取装置８０などを備える例を示しているが、これらを必ずしも備える必要はない。
【００１６】
コントローラ２０は、ＣＰＵ（Central Processing Unit）２１、ＲＡＭ（Random Access Memory）２２、ＲＯＭ（Read-Only Memory）２３、を備えている。ＣＰＵ２１は、ＲＯＭ２３に格納された制御プログラムに従って画像形成装置全体を制御する。ＲＡＭ２２は、各種データを格納することや、ＣＰＵ２１の作業領域として使用されるメモリである。ＲＯＭ２３は、制御プログラムや画像情報などを格納するメモリである。
【００１７】
図２は、本発明を適用した画像形成装置の概略機能構成例を示す図である。図２に示すように、本実施形態の画像形成装置１０は、制御部１０１、要求部１０２、画像形成部１０３、画像取得部１０４、受信部１０５、格納部１０６、を備えている。また、格納部１０６は、情報処理装置に蓄積されている印刷ジョブの量などを格納するジョブ量格納部１０７を含んでいる。
【００１８】
制御部１０１は、コントローラ２０により各機能の制御などを実現する。要求部１０２は、コントローラ２０により、例えば、通信インターフェース６０を介してＰＣ（Personal Computer）などの情報処理装置に印刷ジョブを要求する動作などを実現する。画像形成部１０３は、プリンタエンジン３０により用紙などの記録媒体に画像を形成させる動作などを実現する。
【００１９】
画像取得部１０４は、スキャナエンジン５０により原稿画像を読み取らせ、原稿画像情報を取得する動作などを実現する。受信部１０５は、通信インターフェース６０によりＰＣなどの情報処理装置から、例えば、印刷ジョブデータのデータ量などを受信させる動作を実現する。格納部１０６は、ＲＡＭ２２やＨＤＤ７０により各種データを記憶する動作を実現する。
【００２０】
（情報処理装置）
図３は、本発明を適用した情報処理装置のハードウェア例を示す図である。尚、図３では、情報処理装置としてＰＣに本発明を適用した場合を例として示しているが、これに限定されるものではない。図３に示すように、本発明を適用した情報処理装置は、ＣＰＵ２０１、ＲＡＭ２０２、ＲＯＭ２０３、通信インターフェース２０４、ユーザインターフェース２０５、ＨＤＤ２０６、可搬性記録媒体読取装置２０７を備えており、各々がバスライン２０８により接続されている。尚、図３では、可搬性記録媒体読取装置２０７を備える例を示しているが、これを必ずしも備える必要はない。
【００２１】
ＣＰＵ２０１は、ＲＯＭ２０３に格納された制御プログラムに従って情報処理装置全体を制御する。ＲＡＭ２０２は、各種データを格納することや、ＣＰＵ２０１の作業領域として使用されるメモリである。ＲＯＭ２０３は、制御プログラムや画像情報などを格納するメモリである。
【００２２】
図４は、本発明を適用した情報処理装置の概略機能構成例を示す図である。図４に示すように、本実施形態の情報処理装置１Ａは、受付部３０１、表示部３０２、印刷要求部３０３、即時印刷指定部３０４、格納部３０５、ジョブ量格納部３０６、送信部３０７、状態取得部３０８を備えている。
【００２３】
受付部３０１は、ユーザインターフェース２０５を介して接続される図示しないキーボードなどによってユーザから入力された印刷ジョブなどを受付ける動作を実現する。表示部３０２は、ユーザインターフェース２０５を介して接続される図示しないディスプレイなどにより情報を表示させる。
【００２４】
印刷要求部３０３は、通信インターフェース２０４、およびネットワークを介して接続される画像形成装置に、画像情報の印刷の要求を行う。また、印刷要求部３０３は即時印刷指定部３０４を備えており、即時印刷指定部３０４により指定された印刷ジョブを即時に印刷するよう画像形成装置などに要求する。格納部３０５は、ＲＡＭ２０２やＨＤＤ２０６により、受付けた印刷ジョブを記憶する動作などを実現する。また、格納部３０５はジョブ量格納部３０６を備えており、ネットワークを介して接続される画像形成装置の合計蓄積ジョブ量をＲＡＭ２０２やＨＤＤ２０６に記憶させる。送信部３０７は、画像情報などのデータを上記通信インターフェース２０４を介して接続される画像形成装置などに送信する。また、送信部３０７は状態取得部３０８を備えており、上記接続されている画像形成装置などの状態、例えば画像形成装置などが省電力状態であるか否かの情報を取得する。
【００２５】
図５は、本発明を適用した画像形成装置と情報処理装置とを含む画像形成システムの一実施形態を示す図である。図５には、画像形成装置１０が、外部からの情報の入出力を受付けるコントローラ２０と、実際に印刷を実行するプリンタエンジン３０とを備えている例を示している。尚、プリンタエンジン３０は、センサ類やモータ、ヒータ、それらの制御基板などを含むように構成することができる。画像形成装置１０に印刷ジョブを送る情報処理装置（以下、本実施形態ではＰＣとする）は、ＵＳＢやＬＡＮなどのネットワークを用いて画像形成装置１０と接続される。本実施形態の画像形成装置は、以下の４つの状態（起動状態）を切り替えることで消費電力を抑制する。
【００２６】
画像形成装置１０においてコントローラ２０、プリンタエンジン３０共に電源がオンの状態で印刷ジョブを受付ける状態を待機状態とする。待機状態では、印刷ジョブを受信したときに、すぐに印刷を開始することができる。また、画像形成装置１０においてプリンタエンジン３０の電源をオフにし、電力消費を抑えた状態を省電力状態とする。例えば、一定時間以上待機状態が続くなど、所定の条件を満たしたときに待機状態から省電力状態へと移行する。省電力状態では、コントローラ２０には電力が供給されており、外部からの情報の入出力を受付けている。また、省電力状態にある画像形成装置１０が印刷ジョブを受信すると、コントローラ２０はプリンタエンジン３０の電源をオンにし、印刷ジョブを実行するために復帰動作を始める。かかる復帰動作を実行する状態を復帰動作状態とする。復帰動作状態から下記印刷ジョブ実行状態へと移行する。受信したジョブを実行している状態を印刷ジョブ実行状態とする。画像形成装置１０は、ジョブ完了後は印刷ジョブ実行状態から待機状態に移行する。
【００２７】
また、コントローラ２０内にはネットワークを介して接続されているＰＣに蓄積されている印刷ジョブの量の合計を記憶するための手段であるジョブ量格納部１０７を設けている。しかし、ここで記憶するものはジョブの『量』だけなので、コントローラ２０上に情報処理のために搭載されているメモリの中に十分に収めることができる。蓄積されているジョブデータはＰＣ側のハードディスクなどに記憶される。尚、図５では、２つのＰＣと接続されている例を示しているが、これに限定されるものではない。画像形成装置１０に接続される情報処理端末は１つでも２以上であってもよく、それらの情報端末に蓄積されている印刷ジョブの量の合計を合計蓄積ジョブ量としてジョブ量格納部１０７に格納している。
【００２８】
図６は画像形成装置１０の状態例を示した図である。省電力状態にある画像形成装置１０はＰＣから印刷ジョブを受信すると、プリンタエンジン３０の電源をオンにし、復帰動作を開始する。復帰後に印刷ジョブが実行されて印刷が完了すると、画像形成装置１０はコントローラ２０、プリンタエンジン３０共に電源がオンの状態である待機状態に移行する。復帰動作が実行されなくても、待機状態であれば印刷ジョブはすぐに印刷することができる。待機状態のまま、所定の時間（スリープ移行時間）が経過すると、画像形成装置１０はプリンタエンジン３０の電源をオフにし、省電力状態に移行する。
【００２９】
次に、図５(ＰＣ１Ａ)及び図７を使用してＰＣ側で印刷ジョブが発生したときの制御方法を説明する。例えば、ＰＣ１Ａを操作するユーザの操作によって印刷ジョブが発生すると(ステップＳ１)、ＰＣ１Ａは、画像形成装置の起動状態と、所定の条件を満たしているかを判定するための情報を取得する(ステップＳ２)。ここで、ユーザは、ＰＣなどから所定の条件を予め設定することができる。しかし、所定条件の設定方法はこれに限定されるものではなく、例えば、印刷ジョブ発生毎にユーザに入力させるようにすることもできる。また、画像形成装置１０側においてユーザから所定条件の設定を受付け、ＰＣに送信するようにすることもできる。尚、所定の条件を満たしているかを判定するための情報は、下記ステップＳ４の直前に取得するようにしてもよい。
【００３０】
ＰＣ１Ａは、上記ステップＳ２で取得した画像形成装置１０の起動状態に基づいて、画像形成装置１０が省電力状態であるかどうかを確認する（ステップＳ３）。このとき、画像形成装置１０が省電力状態でなければ（ステップＳ３／ＹＥＳ）、ＰＣ１Ａは、送信する印刷ジョブの決定を行い（ステップＳ１５）、画像形成装置１０に印刷ジョブを送信する(ステップＳ６_ａ)。そして、画像形成装置１０は、受信した印刷ジョブを実行する。
【００３１】
一方、画像形成装置１０が省電力状態であった場合（ステップＳ３／ＮＯ）は、ＰＣ１Ａは、所定の条件を満たしているか否かを判定する(ステップＳ４)。所定の条件としては、例えば、ＰＣに格納されている印刷ジョブの格納状態である、ＰＣ１Ａに蓄積された印刷ジョブのページ数、蓄積されたジョブの蓄積時間、合計蓄積ジョブ量などを設定することができる。この場合、ＰＣ１Ａに蓄積された印刷ジョブのページ数が設定値を超えているか、蓄積されたジョブのなかに予め設定しておいた時間を超えて蓄積されているものはあるか、合計蓄積ジョブ量が所定の値を超えているかなどを、上記ステップＳ２で取得した情報に基づいて判断することで、所定の条件を満たしているかを判定することができる。ここで、所定の条件は１つである必要はなく、上記したような条件を組み合わせて設定することもできる。
【００３２】
また、複数の条件を設定した場合に、上記ステップＳ４における所定条件を満たしているか否かの判定は、全ての条件を満たしている場合にのみ所定の条件を満たしていると判定することもできるし、何れかの条件を満たしている場合には所定の条件を満たしていると判定するようにすることもでき、適宜変更することが可能である。尚、所定の条件は上述した条件に限定されるものではない。
【００３３】
ＰＣ１Ａは、所定の条件を満たしていると判定した場合（ステップＳ４／ＹＥＳ）、送信する印刷ジョブの決定を行い（ステップＳ１５）、画像形成装置１０に印刷ジョブを送信する(ステップＳ６_ａ)。ここで、例えば、所定の条件として蓄積されたジョブの蓄積時間を設定している場合などには、上記ステップＳ１において発生した印刷ジョブではなく、ＰＣ１Ａに所定の時間以上蓄積されている印刷ジョブから画像形成装置１０に送信する。
【００３４】
他方、上記所定の条件を満たしていないと判定した場合（ステップＳ４／ＮＯ）、ＰＣ１Ａは画像形成装置１０に今回発生したジョブの量を蓄積ジョブ量として送信(ステップＳ５)し、ＰＣ１Ａ内には印刷ジョブデータをＨＤＤなどに蓄積する(ステップＳ６_ｂ)。蓄積ジョブ量を受信した画像形成装置１０は、ジョブ量格納部１０７にＰＣ１Ａにおいて蓄積されているジョブ量を格納する。
【００３５】
ただし、即時印刷ジョブとしてユーザから指定のあったジョブに関しては、画像形成装置１０が省電力状態であってもすぐにＰＣ１Ａから送信され、画像形成装置１０において印刷が実行される。また、即時印刷ジョブでなくとも、ユーザからの入力に基づいて、ＰＣ１Ａ内に蓄積されているジョブに対して即時印刷フラグをたてられるようにしてもよい。これにより、ユーザは蓄積されているジョブのうち、所望のデータを印刷することができる。
【００３６】
また、例えば、画像形成装置１０が備えるスキャナやファクシミリを介して印刷ジョブを受付けた場合には、それらの印刷ジョブを即時印刷ジョブとして扱い、ＰＣに蓄積された印刷ジョブは、それらのジョブが完了した後に実行するようにすることができる。
【００３７】
ここで、画像形成装置１０がＰＣに蓄積されている蓄積ジョブ量をカウントする手段（カウント手段）を備えるようにしてもよい。例えば、ＰＣ側で判定する上記設定条件として蓄積ジョブ量を設定していない場合、画像形成装置１０が、ＰＣに蓄積されている印刷ジョブ量が所定量を超えているかを判断し、印刷ジョブ量が所定量を超えていると判断した場合には、起動手段などにより画像形成装置１０の復帰動作を開始するとともに、ＰＣに対して印刷ジョブの送信を要求するようにすることが可能である。尚、ネットワークを介して複数のＰＣなどと接続されている場合、画像形成装置１０は、接続された複数のＰＣなどに蓄積された印刷ジョブ量の合計が所定量を超えているかを判断するようにしてもよい。
【００３８】
次に、図５（ＰＣ２Ｂ）、図８を使用して印刷ジョブを蓄積したＰＣの制御方法を説明する。印刷ジョブを蓄積した状態のＰＣ２Ｂ（ステップＳ７）は、所定の条件を満たしているかを判定するための情報と、画像形成装置１０の状態を取得すると（ステップＳ８）、上述したような所定の条件を満たさないかを監視し(ステップＳ９)、条件を満たしたとき（ステップＳ９／ＹＥＳ）に印刷ジョブを送信する(ステップＳ１２)。また、画像形成装置１０の状態を一定時間ごとに確認し、所定の時間が経過した場合(ステップＳ１０／ＹＥＳ)、画像形成装置１０が省電力状態でなければ（ステップＳ１１／ＹＥＳ）印刷ジョブを送信する(ステップＳ１２)。
【００３９】
例えば、ＰＣ２Ｂが印刷ジョブを蓄積した状態のときにＰＣ１Ａで所定の条件を満たし、省電力状態が解除されて画像形成装置が復帰し、印刷が開始された場合、ＰＣ２Ｂは省電力状態の解除を検出して印刷ジョブを送信する。また、上記ステップＳ８の時点で画像形成装置１０のエラーが検出された場合、ＰＣの表示パネルなどにエラーメッセージを表示する。また、上記ステップＳ８の時点で画像形成装置との通信に失敗した場合もＰＣの表示パネルなどに警告メッセージを表示する。
【００４０】
ここで、印刷ジョブを蓄積した状態のＰＣの電源がそのまま落とされてしまうと、印刷は実行されないままになってしまう。そこで、ユーザなどからＰＣのシャットダウンの指示を受付けた場合には、ＰＣに蓄積された印刷ジョブを全て実行するかの確認画面をＰＣの表示パネルなどに表示するようにするとよい。これにより、ＰＣに蓄積されたジョブを全て画像形成装置に送信してからＰＣをシャットダウンすることができる。
【００４１】
尚、各図のフローチャートに示す処理を、ＣＰＵが実行するためのプログラムは本発明によるプログラムを構成する。このプログラムを記録するコンピュータ読み取り可能な記録媒体としては、半導体記憶部や光学的及び／又は磁気的な記憶部などを用いることができる。このようなプログラム及び記録媒体を、前述した各実施形態とは異なる構成のシステムなどで用い、該システムのＣＰＵで上記プログラムを実行させることにより、本発明と実質的に同じ効果を得ることができる。
【００４２】
なお、上記実施形態は、本発明の好適な実施の形態であり、本発明の要旨を逸脱しない範囲において種々の変更実施が可能である。
【符号の説明】
【００４３】
１０    画像形成装置
２０    コントローラ
２１    ＣＰＵ
２２    ＲＡＭ
２３    ＲＯＭ
３０    プリンタエンジン
４０    ファクシミリコントロールユニット
５０    スキャナエンジン
６０    通信インターフェース
７０    ＨＤＤ
８０    可搬性記録媒体読取装置
９０    バスライン
１０１    制御部
１０２    要求部
１０３    画像形成部
１０４    画像取得部
１０５    受信部
１０６    格納部
１０７    ジョブ量格納部
２０１    ＣＰＵ
２０２    ＲＡＭ
２０３    ＲＯＭ
２０４    通信インターフェース
２０５    ユーザインターフェース
２０６    ＨＤＤ
２０７    可搬性記録媒体読取装置
２０８    バスライン
３０１    受付部
３０２    表示部
３０３    印刷要求部
３０４    即時印刷指定部
３０５    格納部
３０６    ジョブ量格納部
３０７    送信部
３０８    状態取得部
Ａ    ＰＣ１
Ｂ    ＰＣ２
【先行技術文献】
【特許文献】
【００４４】
【特許文献１】特開２００５−３１３４８９号公報
【図１】
2011060148.tif 000003
【図２】
2011060148.tif 000004
【図３】
2011060148.tif 000005
【図４】
2011060148.tif 000006
【図５】
2011060148.tif 000007
【図６】
2011060148.tif 000008
【図７】
2011060148.tif 000009
【図８】
2011060148.tif 000010